(57)【要約】【課題】  クレジットカードの不正使用を、簡単な構成および処理で、確実に防止することのできるクレジットカード決済システムを提供する。【解決手段】  カード使用者が提示したクレジットカードから読取ったカード情報に基づく支払処理の依頼を行うとともに、上記カード使用者が所持する携帯電話端末３との間に直接、通信リンクを確立する加盟店支払処理端末１と、加盟店支払処理端末１がネットワーク４を介して接続され、ネットワーク４、加盟店支払処理端末１および上記通信リンクを介して携帯電話端末３から認証に必要な情報を取得して端末認証を行うＨＬＲ端末認証部６と、ＨＬＲ端末認証部６による端末認証が成功した場合にのみ、加盟店支払処理端末１からの依頼に応じて上記カード情報に基づく支払処理を実行する決済・認証センター端末２とを有する。【選択図】図１
2006164035.tif 000002
【特許請求の範囲】
【請求項１】
カード使用者が提示したクレジットカードから読取ったカード情報に基づく支払処理の依頼を行うとともに、前記カード使用者が所持する携帯電話端末との間に直接、通信リンクを確立する支払処理端末と、
前記支払処理端末が固定系ネットワークを介して接続され、該固定系ネットワーク、前記支払処理端末および前記通信リンクを介して前記携帯電話端末から認証に必要な情報を取得して、該携帯電話端末の認証を行う端末認証装置と、
前記端末認証装置による前記携帯電話端末の認証が成功した場合にのみ、前記支払処理端末からの依頼に応じて前記カード情報に基づく支払処理を実行する決済・認証端末とを有することを特徴とするクレジットカード決済システム。
【請求項２】
前記決済・認証端末は、正規のクレジットカードの加入者が予め指定した携帯電話端末情報が前記正規のクレジットカードに保持されたカード情報と関連付けられて格納されたデータベースを備え、前記支払処理端末にて読取ったカード情報が前記データベースに登録されている場合に、該登録されたカード情報と関連付けられて格納された携帯電話端末情報を前記端末認証装置に供給し、
前記端末認証装置は、前記決済・認証端末から供給された携帯電話端末情報に基づいて前記携帯電話端末が正規の端末であるか否かの判断を行う、請求項１に記載のクレジットカード決済システム。
【請求項３】
前記携帯電話端末情報が、前記正規のクレジットカードの加入者が所有している携帯電話端末の電話番号である、請求項２に記載のクレジットカード決済システム。
【請求項４】
固定系ネットワークを介して相互通信可能に接続された、支払処理端末、端末認証装置および決済・認証端末を有するシステムにおいて行われるクレジットカード決済であって、
前記支払処理端末が、カード使用者が提示したクレジットカードからカード情報を読取り、該読取ったカード情報を前記決済・認証端末に送信して支払処理の依頼を行うステップと、
前記支払処理端末が、前記カード使用者が所持する携帯電話端末との間に直接、通信リンクを確立するステップと、
前記端末認証装置が、前記固定系ネットワーク、前記支払処理端末および前記通信リンクを介して前記携帯電話端末から認証に必要な情報を取得して、該携帯電話端末の認証を行うステップと、
前記決済・認証端末が、前記端末認証装置による前記携帯電話端末の認証が成功した場合にのみ、前記支払処理端末からの依頼に応じて前記カード情報に基づく支払処理を実行するステップとを含むクレジットカード決済方法。
【請求項５】
前記決済・認証端末が、正規のクレジットカードの加入者が予め指定した携帯電話端末情報が前記正規のクレジットカードに保持されたカード情報と関連付けられて格納されたデータベースを参照し、前記支払処理端末にて読取ったカード情報が前記データベースに登録されているか否かを判断するステップと、
前記決済・認証端末が、前記支払処理端末にて読取ったカード情報が前記データベースに登録されている場合に、該登録されたカード情報と関連付けられて格納された携帯電話端末情報を前記端末認証装置に供給するステップと、
前記端末認証装置が、前記決済・認証端末から供給された携帯電話端末情報に基づいて前記携帯電話端末が正規の端末であるか否かを判断するステップとをさらに含む、請求項４に記載のクレジットカード決済方法。
【請求項６】
前記携帯電話端末情報が、前記正規のクレジットカードの加入者が所有している携帯電話端末の電話番号である、請求項５に記載のクレジットカード決済方法。
【請求項７】
固定系ネットワークを介して相互通信可能に接続された、支払処理端末、端末認証装置および決済・認証端末の各々のコンピュータを動作させるプログラムであって、
カード使用者が提示したクレジットカードから読取ったカード情報に基づく支払処理の依頼を行うとともに、前記カード使用者が所持する携帯電話端末との間に直接、通信リンクを確立する処理を、前記支払処理端末のコンピュータに実行させ、
前記固定系ネットワーク、前記支払処理端末および前記通信リンクを介して前記携帯電話端末から認証に必要な情報を取得して、該携帯電話端末の認証を行う処理を、前記端末認証装置のコンピュータに実行させ、
前記端末認証装置による前記携帯電話端末の認証が成功した場合にのみ、前記支払処理端末からの依頼に応じて前記カード情報に基づく支払処理を実行する処理を、前記決済・認証端末のコンピュータに実行させるプログラム。
【請求項８】
正規のクレジットカードの加入者が予め指定した携帯電話端末情報が前記正規のクレジットカードに保持されたカード情報と関連付けられて格納されたデータベースを参照し、前記支払処理端末にて読取ったカード情報が前記データベースに登録されている場合に、該登録されたカード情報と関連付けられて格納された携帯電話端末情報を前記端末認証装置に供給する処理を、前記支払処理端末のコンピュータにさらに実行させ、
前記決済・認証端末から供給された携帯電話端末情報に基づいて前記携帯電話端末が正規の端末であるか否かを判断する処理を、前記端末認証装置のコンピュータにさらに実行させる、請求項７に記載のプログラム。
【請求項９】
前記携帯電話端末情報が、前記正規のクレジットカードの加入者が所有している携帯電話端末の電話番号である、請求項８に記載のプログラム。
【発明の詳細な説明】
【技術分野】
【０００１】
本発明は、クレジットカードによる決済を行う、システムおよび方法に関する。
【背景技術】
【０００２】
クレジットカードによる決済は、一般に普及し、あらゆる取引での支払いに利用されるようになった。その一方で、クレジットカードの不正使用も発生している。ここで、クレジットカードの不正使用とは、正規の使用者でない者がクレジットカードを不正に使用したり、正規のクレジットカードから不正に読取った情報を用いて作製した偽造カードを使用したりする行為をいう。このような事情から、クレジットカード使用者や加盟店に対して、簡便な手続きで、クレジットカード不正使用を防止する方法を提供することが必要となっている。
【０００３】
そこで、携帯電話端末の位置情報を利用したクレジットカードの認証システムが提案されている（特許文献１、２参照）。図６に、その認証システムの概略構成を示す。
【０００４】
図６を参照すると、認証システムは、ネットワーク１１５を介して相互通信可能に接続された、加盟店支払処理端末１１１、認証センター端末１１２および位置情報センター端末１１４と、この位置情報センター端末１１４と携帯電話ネットワーク１１６を介して接続される携帯電話端末１１３とを有する。
【０００５】
加盟店支払処理端末１１１は、カード使用者が提示したクレジットカードからカード情報を読取る機能を備えており、該機能により読取ったカード情報を認証センター端末１１２に送信する。このカード情報の送信に際して、加盟店支払処理端末１１１は、自端末の識別番号などを含む情報を一緒に認証センター端末１１２に送信する。
【０００６】
認証センター端末１１２は、クレジットカード使用者の携帯電話番号が上記カード情報と関連付けられて格納された携帯端末情報記憶部を備えており、加盟店支払処理端末１１１から受信したカード情報に基づいてその位置情報記憶部から使用者の携帯電話番号を取得し、該取得した携帯電話番号を位置情報センター端末１１４に送信する。また、認証センター端末１１２は、加盟店支払処理端末１１１の位置情報が上記識別番号と関連付けられて格納された位置情報記憶部を備えており、加盟店支払処理端末１１１から受信した識別番号に基づいてその位置情報記憶部から加盟店支払処理端末１１１の位置情報を取得する。
【０００７】
位置情報センター端末１１４は、基地局等からの情報と認証センター端末１１２から受信した携帯電話番号とから携帯電話端末１１３の現在位置を検出し、該検出した現在位置を認証センター端末１１２に送信する。認証センター端末１１２は、位置情報記憶部から取得した加盟店支払処理端末１１１の位置情報と、位置情報センター端末１１４から受信した携帯電話端末１１３の現在位置とを比較することで、クレジットカード使用者が正規の加入者であるか否かを判断する。両者の位置が一致した場合は、正規の加入者と判断され、両者の位置が一致しなかった場合は、不正使用者と判断される。
【０００８】
また、特許文献２には、より正確な携帯電話端末の位置情報を得るために、ＧＰＳ（Global Positioning System）機能付携帯電話を用いる方法も提案されている。
【０００９】
上記の他、携帯電話端末とワンタイムパスワードを利用して、クレジットカードの不正使用を防止する認証システムも提案されている（特許文献３、４参照）。図７に、その認証システムの概略構成を示す。
【００１０】
図７を参照すると、認証システムは、加盟店支払処理端末１２１、決済サーバ１２２、携帯電話端末１２３および認証サーバ１２５を有する。加盟店支払処理端末１２１と決済サーバ１２２は相互通信可能であり、また、決済サーバ１２２と認証サーバ１２５も相互通信可能である。携帯電話端末１２３は、携帯電話ネットワーク１２４を介して認証サーバ１２５にアクセスすることが可能である。
【００１１】
クレジットカード使用者は、携帯電話端末１２３を使って認証サーバ１２５にアクセスし、カード会員ＩＤを提供して個人認証を依頼する。認証サーバ１２５は、依頼のあった携帯電話端末１２３の電話番号と加入者ＩＤを用いて個人認証を行う。この認証に成功した場合は、認証サーバ１２５は、ワンタイムＩＤを発行する。このワンタイムＩＤは、クレジットカード会社の決済サーバ１２２と携帯電話端末１２３のそれぞれに供給される。
【００１２】
クレジットカード使用者が、クレジットカードを使用して商品を購入する際には、加盟店支払処理端末１２１にて、購入商品情報とクレジットカード情報およびパスワードが入力されるとともに、ワンタイムＩＤが携帯電話端末１２３から加盟店支払処理端末１２１に供給される。加盟店支払処理端末１２１は、購入商品情報、クレジットカード情報、パスワードおよびワンタイムＩＤをクレジットカード会社の決済サーバ１２２に送信する。
【００１３】
決済サーバ１２２では、クレジットカード会員番号とパスワードに基づく会員照合が行われ、さらに、ワンタイムＩＤでの個人照合が行われる。両照合に基づき、正規の使用者であるか否かが判断される。
【特許文献１】特開２００２−２８８７４４号公報
【特許文献２】特開２００３−１５０８８３号公報
【特許文献３】特開２００３−３２３４０８号公報
【特許文献４】特開２００２−２９８０４２号公報
【発明の開示】
【発明が解決しようとする課題】
【００１４】
しかし、上述した従来の認証システムには、以下のような問題がある。
【００１５】
図６に示した認証システムにおいて、携帯電話端末の位置情報を得るためには、その携帯電話端末を所持する加入者が、基地局との通信が可能なサービスエリア内に居て、携帯電話システムが、その携帯電話端末の位置を認識して特定できる必要がある。このため、クレジットカードの決済をする場所がサービスエリア（基地局との無線通信が可能なエリア）外であったり、基地局から携帯電話端末までの間における電波の伝播路が複雑になっていたりすると、携帯電話システムが、携帯電話端末の正しい位置を特定することができず、その結果、クレジットカード使用者が正規の加入者であるか否かの判断を正確に行うことができなくなる、といった不具合を生じる。
【００１６】
また、より正確な携帯電話端末の位置情報を得るために、ＧＰＳ機能付携帯電話を用いる方法も提案されているが、建物の構造によってはＧＰＳ信号を受信することができない場合があり、その場合は、クレジットカード使用者が正規の加入者であるか否かの判断を正確に行うことができない。
【００１７】
図７に示した認証システムにおいては、クレジットカードを使用する前に、予めワンタイムＩＤを取得しておく必要がある。このため、急にクレジットカードを使用した決済を行う、といった場合には、購入までに手間がかかってしまう。
【００１８】
また、安全性を高めるためには、ワンタイムＩＤの有効期限を設けたり、使用できる回数を制限したりすることが有効である。しかし、カード使用者は、通常、複数のカードを所持していることが多く、そのような場合には、ワンタイムＩＤの管理が複雑になり、ワンタイムＩＤの誤使用を招きやすい、ということ欠点がある。
【００１９】
本発明の目的は、上記問題を解決し、簡単な構成および処理でクレジットカードの不正使用を確実に防止することのできるクレジットカード決済システムを提供することにある。
【課題を解決するための手段】
【００２０】
上記目的を達成するため、本発明は、カード使用者が提示したクレジットカードから読取ったカード情報に基づく支払処理の依頼を行うとともに、前記カード使用者が所持する携帯電話端末との間に直接、通信リンクを確立する支払処理端末と、前記支払処理端末が固定系ネットワークを介して接続され、該固定系ネットワーク、前記支払処理端末および前記通信リンクを介して前記携帯電話端末から認証に必要な情報を取得して、該携帯電話端末の認証を行う端末認証装置と、前記端末認証装置による前記携帯電話端末の認証が成功した場合にのみ、前記支払処理端末からの依頼に応じて前記カード情報に基づく支払処理を実行する決済・認証端末とを有する。
【００２１】
上記の構成によれば、通信リンクを介して支払処理端末と接続される携帯電話端末が正規の携帯電話端末（具体的には、正規のクレジットカードの加入者が指定する（または、所有する）携帯電話端末）である場合にのみ、端末認証装置による携帯電話端末の認証が成功する。よって、カード使用者は、正規の携帯電話端末を所持していない限り、端末認証装置による認証が成功しないため、クレジットカードによる決済を行うことはできない。例えば、クレジットカードの加入者でない者（不正な使用者）がクレジットカードを不正に使用した場合は、その不正な使用者は、正規の携帯電話端末を所持していないため、端末認証装置による認証が失敗に終わる。また、正規のクレジットカードから不正に読取った情報を用いて作製した偽造カードを使用した場合も、同様に、その使用者は、正規の携帯電話端末を所持していないため、端末認証装置による認証が失敗に終わる。
【００２２】
また、端末認証装置（具体的には、ＨＬＲ（Ｈｏｍｅ  Ｌｏｃａｔｉｏｎ  Ｒｅｇｉｓｔｅｒ）端末認証部を備える携帯電話システム）は、固定系ネットワーク、支払処理端末および通信リンクを介して携帯電話端末と接続されるので、クレジットカードの決済をする場所がサービスエリア（基地局との無線通信が可能なエリア）外であっても、また、基地局から携帯電話端末までの間における電波の伝播路が複雑になっていても、それによって、端末認証装置による携帯電話端末の認証が妨げられることはない。
【００２３】
さらに、クレジットカード使用者が新たなパスワード（ワンタイムＩＤ）などを取得する手続きが不要であるので、従来のようなパスワード（ワンタイムＩＤ）の管理や誤使用などの問題は生じない。
【００２４】
上記の発明において、前記決済・認証端末が、正規のクレジットカードの加入者が予め指定した携帯電話端末情報が前記正規のクレジットカードに保持されたカード情報と関連付けられて格納されたデータベースを備え、前記支払処理端末にて読取ったカード情報が前記データベースに登録されている場合に、該登録されたカード情報と関連付けられて格納された携帯電話端末情報を前記端末認証装置に供給し、前記端末認証装置が、前記決済・認証端末から供給された携帯電話端末情報に基づいて前記携帯電話端末が正規の端末であるか否かを判断するようにしてもよい。
【００２５】
上記の構成によれば、正規のクレジットカードの加入者が指定した携帯電話端末情報と合致する携帯電話端末を支払処理端末に接続した場合にのみ、カード使用者は、クレジットカードによる決済を行うことができる。
【００２６】
また、位置情報システムなしに、データベースに登録させている携帯電話端末が、その支払いの場所にあることを確認することができるので、ＧＰＳ信号を受信できない場所や、基地局からの到来電波の経路が複雑で、携帯電話端末の正確な位置情報を計算できない場所においても、カード使用者が正規の加入者であるか否かを確認することができる。
【発明の効果】
【００２７】
本発明によれば、基地局のサービスエリアや電波の受信状態に左右されずに、携帯電話端末の認証を行うことができることから、従来のシステムに比べて、クレジットカード使用者の正当性を確実に確認することができ、クレジットカードの不正使用を確実に防止することができる、という効果がある。
【００２８】
また、端末認証装置は、既存の携帯電話システムの認証システムで構成することが可能であり、新たな認証システムを設ける必要がないので、その分、システム導入におけるコストを低く抑えることができる、という効果がある。
【００２９】
さらに、新たなパスワード（ワンタイムＩＤ）などを取得する手続きが不要であるので、その分、クレジットカード使用者の手間を省くことができる、という効果がある。
【発明を実施するための最良の形態】
【００３０】
次に、本発明の実施形態について図面を参照して説明する。
【００３１】
図１は、本発明の一実施形態であるクレジットカード決済システムの概略構成を示すブロック図である。この決済システムは、クレジットカード加盟店に設置される加盟店支払処理端末１と、クレジットカードを発行するカード会社によって運用・管理される決済・認証センター端末２と、クレジットカード使用者が所持する携帯電話端末３と、この携帯電話端末３の認証を行うＨＬＲ（Ｈｏｍｅ  Ｌｏｃａｔｉｏｎ  Ｒｅｇｉｓｔｅｒ）端末認証部６を備えた携帯電話システム５とを有する。
【００３２】
加盟店支払処理端末１、決済・認証センター端末２、携帯電話端末３、ＨＬＲ端末認証部６のそれぞれは、プログラムにより動作する、通信機能を備えたコンピュータシステムより構成されるものであって、その基本構成は、プログラムやデータなどを蓄積する記憶装置、入力装置（または操作部）、ＣＲＴやＬＣＤなどの表示装置、外部との通信を行うモデムなどの通信装置、および記憶装置に格納されたプログラムに従って各部の動作を制御する制御装置からなる。
【００３３】
加盟店支払処理端末１と決済・認証センター端末２は、固定系データ通信網であるネットワーク４を介して相互に通信可能に接続されている。ＨＬＲ端末認証部６は、インターフェース部７を介してネットワーク４に接続されており、ネットワーク４経由で、携帯電話端末３との通信が可能とされている。インターフェース部７は、ＨＬＲ端末認証部６をネットワーク４に接続するためのものであって、ネットワーク４を介し送受信される通信情報の書式変換等の処理を行う。
【００３４】
以下、加盟店支払処理端末１、決済・認証センター端末２、携帯電話端末３およびＨＬＲ端末認証部６の具体的な構成について説明する。
【００３５】
図２は、加盟店支払処理端末１の主要部の構成を示すブロック図である。図２を参照すると、加盟店支払処理端末１の主要部は、入力部１０、読取り部１１、通信部１２、１３および処理部１４からなる。
【００３６】
入力部１０では、購入価格などの情報を含む、カード決済に必要な取引情報が入力される。この取引情報の入力は、加盟店の店員によって行われる。読取り部１１は、セットされたクレジットカードからカード情報（クレジットカードＩＤやカード加入者の個人情報）を読取る。通信部１２は、ネットワーク４を介して決済・認証センター端末２やＨＬＲ端末認証部６との間で情報を送受信する。通信部１３は、携帯電話端末３との間で、有線または無線もしくは赤外線を利用したデータ通信を行う。
【００３７】
処理部１４は、通信部１２を通じて、入力部１０で入力された取引情報や読取り部１１で読取ったカード情報をクレジットカード決済・認証センター２へ送信し、それに対する回答（クレジットカード受付応答や支払情報受付完了など）を受信する。また、処理部１４は、通信部１３を通じて、携帯電話端末３との間でデータ通信を行うための通信リンクを確立するとともに、携帯電話端末３とＨＬＲ端末認証部６の間で行われる、ネットワーク４経由の認証に関する通信の仲介を行う。
【００３８】
図３は、決済・認証センター端末２の主要部の構成を示すブロック図である。図３を参照すると、決済・認証センター端末２は、データベース２０、通信部２１および管理・処理部２２からなる。
【００３９】
データベース２０には、正規のクレジットカードのカード情報（加入者の名前やクレジットカードＩＤなど）と、そのクレジットカードの加入者（契約者）がカード契約時に指定した携帯電話番号の情報が関連付けられて予め格納されている。データベース２０に登録する携帯電話番号は、基本的には、加入者が所有する携帯電話端末の携帯電話番号である。通信部２１は、ネットワーク４を介して加盟店支払処理端末１およびＨＬＲ端末認証部６との間で必要な情報を送受信する。
【００４０】
管理・処理部２２は、データベース２０の管理を行うとともに、加盟店支払処理端末１から受信したカード情報がデータベース２０に登録されているか否かの登録確認（カード使用者が提示したクレジットカードが正規のものである否かの確認）を行う。加盟店支払処理端末１から受信したカード情報がデータベース２０に登録されている場合は、管理・処理部２２は、ＨＬＲ端末認証部６に対して、そのカード情報と関連付けられて格納されている携帯電話番号を送信して端末認証を要求し、その認証結果をＨＬＲ端末認証部６から受信する。
【００４１】
端末認証の要求を送信する際は、管理・処理部２２は、携帯電話端末３との間でデータ通信を行う通信リンクが確立されている加盟店支払処理端末１のネットワーク４上でのアドレス情報を一緒にＨＬＲ端末認証部６に送信する。ＨＬＲ端末認証部６から認証成功を示す結果を受信した場合にのみ、管理・処理部２２は、加盟店支払処理端末１に対してクレジットカードを受け付ける旨の応答を返すとともに、加盟店支払処理端末１から受信したクレジットカードの取引情報を登録し、加盟店支払処理端末１にクレジットカードでの支払いが承認されたことを通知する。
【００４２】
図４は、携帯電話端末３の主要部の構成を示すブロック図である。図４を参照すると、携帯電話端末３の主要部は、通信部３０、３１および処理部３２からなる。通信部３０は、基地局との間で無線通信を行う通常のエアインターフェースによりなる。通信部３１は、加盟店支払い処理端末１との間で、有線または無線もしくは赤外線によるデータ通信を行うインターフェースであって、加盟店支払処理端末１およびネットワーク４を介してＨＬＲ端末認証部６と通信することが可能である。処理部３２は、通信部３０を通じて、既存の携帯電話システム５へのアクセス（エアインターフェースを介した通常のアクセス）を行う他、通信部３１を通じて、ネットワーク４経由でＨＬＲ端末認証部６との間で所定の端末認証手続きを行う。通信部３０を介した通常のアクセスは、従来から行われている周知の処理であるが、通信部３１を介したネットワーク４経由のＨＬＲ端末認証部６による端末認証は、これまでにない新規の処理である。
【００４３】
ＨＬＲ端末認証部６は、エアインターフェースを介した通常の端末認証を行うことに加えて、決済・認証センター端末２からの端末認証要求に応じて、ネットワーク４経由で携帯電話端末３の端末認証を行うことができる。この端末認証に際して、ＨＬＲ端末認証部６は、決済・認証センター端末２から受信したアドレス情報に基づいて、携帯電話端末３との通信リンクが確立されている、ネットワーク４上の加盟店支払処理端末１を特定し、該特定した加盟店支払処理端末１を通じて携帯電話端末３から認証に必要な情報を取得し、該取得した情報に基づいて認証を行う。この認証において、ＨＬＲ端末認証部６は、ＨＬＲを利用した既存の認証に加えて、決済・認証センター端末２から受信した携帯電話番号に基づいて携帯電話端末３が正規の端末（データベース２０に電話番号が登録された携帯電話端末）であるか否かを判断する。決済・認証センター端末２から受信した携帯電話番号が携帯電話端末３から取得した携帯電話番号（携帯電話端末３の電話番号）と合致すれば、正規の端末と判断される。
【００４４】
携帯電話システム５は、ＨＬＲ端末認証部６によるネットワーク４経由での端末認証処理機能を有する以外は、既存の携帯電話システムと同じものである。携帯電話システム５は、決済・認証センター端末２からの端末認証要求がネットワーク間のローミングでない場合は、ネットワーク４経由での端末認証処理が行われるものと判断し、携帯電話端末３の位置登録は行わずに、決済・その端末認証処理の履歴を保持する。この履歴保持は、後日必要になったときに検索できるようにデータベース化して保存してもよい。
【００４５】
次に、本実施形態の決済システムの動作を説明する。図５に、その決済処理の一手順を示す。以下、図１〜図５を参照して、決済処理を具体的に説明する。
【００４６】
加盟店の店員が、加盟店支払処理端末１の入力部１１にて、クレジットカードでの支払処理を開始するための入力操作を行うと、加盟店支払処理端末１では、処理部１４が、当該加盟店支払処理端末１を特定可能な端末ＩＤを含む、支払処理開始を要求するメッセージを決済・認証センター端末２に送信する（ステップ（Ａ））。
【００４７】
決済・認証センター端末２では、管理・処理部２２が、加盟店支払処理端末１からの支払処理開始要求メッセージに応じて、支払処理を行うための準備を行い、準備完了後に、支払処理開始応答メッセージを加盟店支払処理端末１に送信する（ステップ（Ｂ））。
【００４８】
加盟店支払処理端末１では、処理部１４が、決済・認証センター端末２から支払処理開始応答メッセージを受信した旨を不図示の表示装置に表示する。この表示を確認した店員が、クレジットカード使用者が提示したクレジットカードを読取り部１１にセットすると、読取り部１１が、そのセットされたクレジットカードからカード情報を読取る。そして、処理部１４が、その読取り部１１で読取ったカード情報を決済・認証センター端末２に送信する（ステップ（Ｃ））。
【００４９】
決済・認証センター端末２では、加盟店支払処理端末１からカード情報を受信すると、管理・処理部２２が、該受信したカード情報に基づいてデータベース２０を検索し、クレジットカード加入者の携帯電話番号を取得する。そして、管理・処理部２２は、その取得した携帯電話番号と加盟店支払処理端末１のネットワーク４上におけるアドレス情報を含む、端末認証を要求するメッセージをＨＬＲ端末認証部６に送信する（ステップ（Ｄ））。なお、加盟店支払処理端末１から受信したカード情報がデータベース２０に登録されていない場合は、管理・処理部２２は、その旨のメッセージ（エラーメッセージ）を加盟店支払処理端末１に送信する。加盟店支払処理端末１では、エラーメッセージが表示され、この表示により、店員は、カード使用者が提示したクレジットカードが正規のクレジットカードでないことを知る。
【００５０】
ＨＬＲ端末認証部６は、決済・認証センター端末２から端末認証要求メッセージを受信すると、該受信した端末認証要求メッセージに含まれているアドレス情報に基づいて加盟店支払処理端末１を特定し、該特定した加盟店支払処理端末１に、携帯電話端末３との通信リンクの確立を要求するメッセージを送信する（ステップ（Ｅ））。
【００５１】
加盟店支払処理端末１では、処理部１４が、端末接続要求メッセージを受信した旨を不図示の表示装置に表示させる。そして、この表示を確認した店員が、入力部１１において、クレジットカード使用者が所持している携帯電話端末１と加盟店支払処理端末１との間の回線を確立するための入力操作（通信設定）を行うと、処理部１４が、通信部１３を通じて、携帯電話端末３との物理的な接続を確認した後、ＨＬＲ端末認証部６との通信の確立を行うための接続要求メッセージを携帯電話端末３に送信する（ステップ（Ｆ））。
【００５２】
携帯電話端末３では、通信部３１にて接続要求メッセージを受信すると、処理部３２が、接続準備を行い、該接続準備が完了した後に、通信部３１を通じて接続応答メッセージを加盟店支払処理端末１に送信する（ステップ（Ｇ））。
【００５３】
携帯電話端末３から接続応答メッセージを受信した加盟店支払処理端末１では、処理部１４が、携帯電話端末３との通信の準備が完了したことを示す接続応答メッセージを、通信部１２を通じてＨＬＲ端末認証部６に送信する（ステップ（Ｈ））。ＨＬＲ端末認証部６は、加盟店支払処理端末１から接続応答メッセージを受信すると、携帯電話端末３と加盟店支払処理端末１の間で確立された通信リンクを利用して、携帯電話端末３との間で相互通信を行い、携帯電話端末３の端末認証を行う（ステップ（Ｉ））。この端末認証では、既存の携帯電話システムに行われている周知の認証処理に加えて、携帯電話端末３の電話番号が上記ステップ（Ｄ）で決済・認証センター端末２から受信した携帯電話番号と一致するか否かの確認が行われる。電話番号が一致した場合は、ＨＬＲ端末認証部６は、携帯電話端末３を正規の端末であると判断する。また、電話番号が不一致の場合は、ＨＬＲ端末認証部６は、携帯電話端末３を正規の端末でないと判断する。
【００５４】
上記ステップ（Ｉ）の端末認証が成功し、携帯電話端末３が正規の端末であると判断した場合は、ＨＬＲ端末認証部６は、端末認証携帯電話端末３に対して、通信リンクの切断要求メッセージを送信する（ステップ（Ｊ））。携帯電話端末３では、通信部３１にてＨＬＲ端末認証部６から切断要求メッセージを受信すると、処理部３２が、通信部３１を通じて通信リンクの切断応答メッセージを加盟店支払処理端末１に送信する（ステップ（Ｋ））。
【００５５】
加盟店支払処理端末１では、通信部１３にて携帯電話端末３から切断応答メッセージを受信すると、処理部１４が、通信部１３を介して確立された携帯電話端末３との通信リンクを切断し、通信部１２を通じて通信リンクの切断完了メッセージをＨＬＲ端末認証部６に送信する（ステップ（Ｌ））。
【００５６】
また、上記ステップ（Ｉ）の端末認証が成功し、携帯電話端末３が正規の端末であると判断した場合は、ＨＬＲ端末認証部６は、携帯電話端末３の認証が成功したことを通知するための認証成功応答メッセージを決済・認証センター端末２に送信する（ステップ（Ｍ））。
【００５７】
決済・認証センター端末２では、管理・処理部２２が、ＨＬＲ端末認証部６からの認証成功応答メッセージに基づいて、携帯電話端末３がデータベース２０に登録されている携帯電話番号のものであることが確認されたと認識して、クレジットカード使用者が正規のクレジットカード加入者であると判断し、クレジットカード使用者が提示したクレジットカードによる決済を受け付ける旨を示すメッセージを加盟店支払処理端末１に送信する（ステップ（Ｎ））。
【００５８】
加盟店支払処理端末１では、通信部１２にてクレジットカード受付応答メッセージを受信すると、処理部１４が、その受信メッセージを不図示の表示装置に表示する。この表示を確認した店員が、入力部１０にて、クレジットカードによる決済に必要な支払情報（支払内容）を入力すると、処理部１４が、通信部１２を通じて、その支払情報を決済・認証センター端末２に送信する（ステップ（Ｏ））。
【００５９】
決済・認証センター端末２では、管理・処理部２２が、カード使用者の情報および支払内容を不図示の記憶装置に登録するとともに、通信部２１を通じて支払情報を受け付けた旨を示す支払情報受付完了メッセージを加盟店支払処理端末１に送信する（ステップ（Ｐ））。この支払情報受付完了メッセージの送信をもって、クレジットカードによる支払いの手続きが完了する。
【００６０】
なお、上記ステップ（Ｉ）の端末認証が失敗し、携帯電話端末３が正規の端末でないと判断した場合は、ＨＬＲ端末認証部６は、決済・認証センター端末２にその旨のメッセージを送信する。決済・認証センター端末２は、ＨＬＲ端末認証部６から認証失敗のメッセージを受信すると、携帯電話端末３が正規の端末でない旨のメッセージ（エラーメッセージ）を加盟店支払処理端末１に送信する。加盟店支払処理端末１では、エラーメッセージが表示され、この表示により、店員は、携帯電話端末３が正規の端末でないことを知る。
【００６１】
以上の端末認証を含む決済処理は、クレジットカードによる決済手続きの開始から終了までの一手順である。この決済処理は、基本的には、加盟店支払処理端末１、決済・認証センター端末２およびＨＬＲ端末認証部６の各々を構成するコンピュータシステムの記憶部に格納されたプログラムをコンピュータが実行することで実現することが可能である。
【００６２】
上述した本実施形態の決済システムによれば、固定系データネットワーク（ネットワーク４）経由で携帯電話端末の認証を行うようになっているので、携帯電話のサービスエリア、電波の受信状態に左右されずに、携帯電話端末の認証を行うことができ、クレジットカード使用者の正当性を確認することができる。
【００６３】
また、位置情報システムなしに、データベース２０に登録してある携帯電話端末が、その支払いの場所にあることを確認することができる。よって、位置情報を得るためのＧＰＳ信号の受信できない場所や、基地局からの到来電波の経路が複雑で、正確な位置情報を計算できない場所でも、クレジットカード使用者の正当性を確認することができる。
【００６４】
さらに、携帯電話システム５として、既存の携帯電話システム（位置登録等に使用している認証システムを有するもの）を利用することができるので、本実施形態の決済システムの導入にあたって、新たな認証システムを設ける必要がない。
【００６５】
さらに、新たなＩＤやパスワードを設定する必要もないので、クレジットカード使用者の手間を省くことができる。
【００６６】
以上説明した本実施形態の決済システムは本発明の一例であって、その構成および決済処理は、設計に応じて適宜変更することができる。例えば、図５に示した決済処理において、携帯電話端末３とＨＬＲ端末認証部６で行われる認証手続き（ステップ（Ｉ））の前後の手続きは、部分的に順序を入れ替えてもよい。具体的には、ステップ（Ｊ）〜（Ｌ）の通信リンク切断処理とステップ（Ｍ）〜（Ｐ）の支払情報受付処理とは、どちらが先に行われても良く、また、場合によっては、両処理を並行して行ってもよい。
【００６７】
また、図１に示したシステムにおいて、決済・認証センター端末２は、決済を行う端末と認証を行う端末の２台の端末で構成してもよい。
【００６８】
さらに、ＨＬＲ端末認証部６は、携帯電話システム５の一部として説明したが、ＩＰ（インターネットプロトコル）化された携帯電話システムでは、複数の携帯電話システムなどが共有する独立した加入者認証サーバとしてもよい。
【００６９】
また、クレジットカードの加入者は、１つまたは複数の携帯電話番号をデータベース２０に登録することができる。複数の携帯電話番号を登録した場合は、ＨＬＲ端末認証部６は、その登録した複数の携帯電話番号のうちのいずれかの電話番号が携帯電話端末３の電話番号と一致した場合に、携帯電話端末３を正規の端末であると判断する。この構成によれば、クレジットカードの加入者が、複数の携帯電話端末を有する場合に、いずれかの携帯電話端末を所持していれば、クレジットカードによる決済を行うことができるため、利便性がさらに向上する。
【００７０】
さらに、加入者が指定した携帯電話番号をデータベース２０に登録するようになっているが、携帯電話端末が正規の端末であるか否かを判断することができるのであれば、携帯電話番号に代えて他の情報をデータベース２０に登録するようにしてもよい。例えば、携帯電話端末を特定可能な特定情報（具体的には、端末ＩＤ）を携帯電話番号に代えてデータベース２０に登録してもよい。この場合は、ＨＬＲ端末認証部６は、決済・認証センター端末２から端末ＩＤを受信し、該受信した端末ＩＤと携帯電話端末３から取得した該携帯電話端末のＩＤとを比較し、両ＩＤが一致した場合に、携帯電話端末３を正規の端末と判断する。
【００７１】
また、図１には、加盟店支払処理端末１は１台しか示されていないが、実際は、複数の加盟店があり、各加盟店に加盟店支払処理端末１が設置される。
【図面の簡単な説明】
【００７２】
【図１】本発明の一実施形態であるクレジットカード決済システムの概略構成を示すブロック図である。
【図２】図１に示す加盟店支払処理端末の主要部の構成を示すブロック図である。
【図３】図１に示す決済・認証センター端末の主要部の構成を示すブロック図である。
【図４】図１に示す携帯電話端末の主要部の構成を示すブロック図である。
【図５】図１に示すクレジットカード決済システムの決済処理を説明するための図である。
【図６】従来の認証システムの概略構成を示すブロック図である。
【図７】従来の他の認証システムの概略構成を示すブロック図である。
【符号の説明】
【００７３】
１  加盟店支払処理端末
２  決済・認証センター端末
３  携帯電話端末
４  ネットワーク
５  携帯電話システム
６  ＨＬＲ端末認証部
７  インターフェース部
【図１】
2006164035.tif 000003
【図２】
2006164035.tif 000004
【図３】
2006164035.tif 000005
【図４】
2006164035.tif 000006
【図５】
2006164035.tif 000007
【図６】
2006164035.tif 000008
【図７】
2006164035.tif 000009